(57)【特許請求の範囲】
【請求項１】
支持部材から遮蔽材が吊り下げられるとともに、前記支持部材から前記遮蔽材を操作可能な操作部材が垂下するブラインドに設けられる前記操作部材の案内装置であって、
前記操作部材は、一方の操作部と他方の操作部とを有し、
前記一方の操作部を前記他方の操作部側に案内する第１案内部と、
前記他方の操作部を前記一方の操作部側に案内する第２案内部と、
を有し、
前記第１案内部及び前記第２案内部は、ブラインドの正面方向からみた側方と、ブラインドの正面と垂直な方向からみた側方のいずれか又は両方が開放されており、
前記操作部材は、開放された側方から前記第１案内部及び前記第２案内部に設けることができることを特徴とする、操作部材の案内装置。
【請求項２】
前記第１案内部と前記第２案内部のうち少なくとも一方には、スロープが形成されていることを特徴とする、請求項１に記載の操作部材の案内装置。
【請求項３】
前記第１案内部には、第１スロープが形成され、
前記第２案内部には、第２スロープが形成されていることを特徴とする、請求項１に記載の操作部材の案内装置。
【請求項４】
支持部材から遮蔽材が吊り下げられるとともに、前記支持部材から前記遮蔽材を操作可能な操作部材が垂下するブラインドに設けられる前記操作部材の案内装置であって、
前記操作部材は、一方の操作部と他方の操作部とを有し、
前記一方の操作部を前記他方の操作部側に案内する第１案内部と、
前記他方の操作部を前記一方の操作部側に案内する第２案内部と、
を有し、
前記案内装置には回転部材が回転自在に支持されており、
第１案内部と第２案内部のうち少なくとも一方は、前記回転部材の周面に形成されることを特徴とする、操作部材の案内装置。
【請求項５】
前記回転部材には、仕切り壁を境として、同軸上に第１周面と、第２周面とが形成され、
前記一方の操作部は前記第１周面によって案内され、前記他方の操作部は前記第２周面によって案内されることを特徴とする、請求項４に記載の操作部材の案内装置。
【請求項６】
前記操作部材はボールチェーンによって構成され、前記回転部材はスプロケットによって構成されることを特徴とする、請求項４又は５に記載の操作部材の案内装置。
【請求項７】
請求項１〜６のいずれかに記載の操作部材の案内装置を設けたことを特徴とする、ブラインド。
【発明の詳細な説明】
【技術分野】
【０００１】
本発明は、ブラインドの遮蔽材を操作する操作部材の案内装置及びこれを備えたブラインドに関する。
【背景技術】
【０００２】
従来のブラインドでは、以下のような構成が知られている。ヘッドボックスあるいはセットフレームなどの支持部材から遮蔽材を操作するループ状の操作部材である操作コードあるいはボールチェーンが垂下している。操作部材は支持部材からループ状に垂れ下がることで一方の操作部と他方の操作部とを有する。一方の操作部と他方の操作部との内のいずれか片側の操作部を引き操作することによって、スラットやスクリーンなどの遮蔽材が上昇（開放）し、反対側の操作部を引き操作をすることによって、遮蔽材が下降（閉塞）する。
【０００３】
このようにループ状の操作部材であるボールチェーンを搭載したロールスクリーンとして、特開２００８−３８３８０号公報（特許文献１）に示されるものがある。これに示されるものは、取付面に回転可能に支持された巻取軸からスクリーンを昇降可能に吊下支持し、巻取軸の一端にはプーリが取着され、プーリにループ状の操作チェーンが掛装され、操作チェーンの操作により巻取軸を回転操作可能であり、巻取軸をスクリーン巻き取り方向に回転させれば巻取軸にスクリーンが巻き取られて上昇し、巻取軸をスクリーン巻き解き方向に回転させれば、スクリーンが巻き解かれて下降するようになっている。
【０００４】
このロールスクリーンにおいては、図１４に示したように、巻取軸５００に対してスクリーン５１０が手前から巻き取られるように取付けられていることが特徴（一般的には「逆巻き仕様」と呼ぶ）である。このような逆巻き使用のロールスクリーンでは、操作チェーン５４０の操作方向とスクリーン５１０の昇降方向は、以下のようになる。
【０００５】
すなわち、図１５の矢印Ｗに示したように、ボールチェーン５２０の奥側を操作すると、巻取軸５００が手前から奥側に向かって回転してスクリーン５１０が巻き取られて、図１５の矢印Ｘ方向に上昇する。一方、図１５の矢印Ｙに示したように、ボールチェーン５２０の手前側を操作すると、巻取軸５００が奥側から手前に向かって回転してスクリーン５１０が巻き解かれて、図１５の矢印Ｚ方向に下降する。
【先行技術文献】
【特許文献】
【０００６】
【特許文献１】特開２００８−３８３８０号公報
【発明の概要】
【発明が解決しようとする課題】
【０００７】
しかしながら、一般的なロールスクリーンは、巻取軸に対してスクリーンが奥側から手前に向かって巻き取られるようになっている。よって、操作チェーンの奥側を操作するとスクリーンが巻き解かれて下降し、操作チェーンの手前側を操作するとスクリーンが巻き取られて上昇する。このように、巻取軸に対するスクリーンの巻き取り方向を入れ替えると、操作する側の操作部に対して開閉する方向が入れ替わってしまう。このため、操作部の操作方向に共通性を持たせることができないため、操作性が悪くなる。
【０００８】
また、操作位置を左右で入れ替えるために、支持部材を含むブラインド全体を左右に反転した状態で設置することがある。こういうときも、操作部の配置が手前と奥で入れ変わるため、操作方向が手前と奥で入れ替わってしまう。このため、操作部の操作方向に共通性を持たせることができないため、操作性が悪くなるという問題があった。
【０００９】
そこで本発明は、このような問題に鑑みてなされたもので、その目的とするところは、巻き取り方向が逆巻き使用のロールスクリーンや支持部材を含むブラインド全体が左右に反転した状態で設置されたブラインドなどは、操作部の配置が入れ替わるため、操作部の操作方向が入れ替わるが、操作部の操作方向に共通性を持たせることで操作性を向上させることの可能な、操作部材の案内装置及びこれを備えたブラインドを提供することにある。
【課題を解決するための手段】
【００１０】
上記課題を解決するために、本発明によれば、支持部材から遮蔽材が吊り下げられるとともに、前記支持部材から前記遮蔽材を操作可能な操作部材が垂下するブラインドに設けられる前記操作部材の案内装置であって、前記操作部材は、一方の操作部と他方の操作部とを有し、前記一方の操作部を前記他方の操作部側に案内する第１案内部と、前記他方の操作部を前記一方の操作部側に案内する第２案内部と、を有することを特徴とする、操作部材の案内装置が提供される。
【００１１】
かかる構成によれば、第１案内部と第２案内部とを有する案内装置を設けることで、操作部材を構成する一方の操作部を第１案内部によって他方の操作部側に案内し、他方の操作部を第２案内部によって一方の操作部側に案内する。これにより、一方と他方の操作部の位置を入れ替えることができる。したがって、このような構成をロールスクリーンに適用した場合、スクリーンの巻き取り方向を前後で入れ替えたとしても、操作部材を案内装置を介して垂下させることで、操作部の操作方向を入れ替える前と同じ側とすることができる。このため、操作部の操作方向に共通性を持たせることできるので、操作性が向上する。
【００１２】
また、操作位置をブラインドの左右で入れ替えるために、ブラインド全体を左右方向に反転して設置する場合も、操作部材を案内装置を介して垂下させることで、操作位置を左右で入れ替える前と同じ側の操作部の操作で遮蔽材を開閉することができる。このように、操作部の操作方向に共通性を持たせることできるので、操作性が向上する。なお、このように、ブラインド全体を左右方向に反転して設置する代表的なブラインドとしては「縦型ブラインド」が該当する。
【００１３】
本発明は様々な応用が可能である。例えば、前記第１案内部と前記第２案内部のうち少なくとも一方には、スロープが形成されているようにしてもよい。案内装置にはスロープが設けられ、スロープ面が案内部を形成することで、操作部材を無理なく反対側に案内できるため、案内装置を介して垂下する操作部材の操作が円滑となる。特に、一方の操作部の操作のみで昇降を行えるブラインドがあるが、そのようなブラインドに好適である。
【００１４】
また、前記第１案内部には、第１スロープが形成され、前記第２案内部には、（前記第１スロープとは異なる）第２スロープが形成されているようにしてもよい。案内装置に２つのスロープを形成することで、案内装置を通るいずれの操作部も無理なく反対側に案内できるため、操作部のいずれの側を操作しても円滑な操作が可能となる。
【００１５】
また、前記案内装置には回転部材が回転自在に支持されており、第１案内部と第２案内部のうち少なくとも一方は、前記回転部材の周面に形成されるようにしてもよい。案内装置には回転部材が回転自在に支持され、回転部材の周面が案内部を形成することで、操作時における操作部材の移動に伴って回転部材も回転するため、案内装置を介して垂下する操作部材の操作が円滑となる。特に、一方の操作部の操作のみで昇降を行えるブラインドがあるが、そのようなブラインドに好適である。
【００１６】
また、前記回転部材には、仕切り壁を境として、同軸上に第１周面と、第２周面とが形成され、前記一方の操作部は前記第１周面によって案内され、前記他方の操作部は前記第２周面によって案内されるようにしてもよい。回転部材は仕切り壁を境として第１周面と第２周面を形成し、第１周面と第２周面に操作部のいずれかが案内されることで、操作部同士の干渉が防止される。さらに、一方の操作部が移動すると他方の操作部が相対移動して、回転部材は同一高さに保持されるため、案内装置の固定が不要となる。
【００１７】
また、前記操作部材はボールチェーンによって構成され、前記回転部材はスプロケットによって構成されるようにしてもよい。このように、ボールチェーンによって操作部材が構成され、スプロケットによって回転部材が構成されるようにすることで、ボールチェーンとスプロケットが噛み合うため、一方の操作部が移動すると他方の操作部が相対移動して、スプロケットは同一高さに保持される。よって、案内装置の固定が不要となる。
【００１８】
さらに、本発明によれば、上述のいずれかの案内装置を備えたことを特徴とする、ブラインドが提供される。
【発明の効果】
【００１９】
本発明によれば、巻き取り方向が逆巻き使用のロールスクリーンや支持部材を含むブラインド全体が左右に反転した状態で設置されたブラインドなどは、操作部の配置が入れ替わるため、操作部の操作方向が入れ替わるが、操作部の操作方向に共通性を持たせることで操作性を向上させることが可能である。本発明のその他の効果については、後述する発明を実施するための形態においても説明する。
【図面の簡単な説明】
【００２０】
【図１】第１の実施形態のブラインドの全体構成を示す斜視図である。
【図２】ブラインドの側面図である。
【図３】案内装置近傍の正面図である。
【図４】図３のａ−ｂ断面図である。
【図５】図３のａ−ｃ断面図である。
【図６】操作部の操作を説明するための図である。
【図７】第２の実施形態のブラインドの全体構成を示す斜視図である。
【図８】案内装置の拡大図である。
【図９】案内装置近傍の正面図である。
【図１０】案内装置近傍の側面図である。
【図１１】図９のｄ−ｅ断面図である。
【図１２】図９のｄ−ｆ断面図である。
【図１３】操作部の操作を説明するための図である。
【図１４】従来のロールスクリーンの斜視図である。
【図１５】従来のロールスクリーンの操作部の操作を説明するための図である。
【発明を実施するための形態】
【００２１】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２２】
（第１の実施形態）
第１の実施形態に係るブラインド１００の全体の構成について、図１〜図３を参照しながら説明する。なお以下では、ブラインドの一例として横型ブラインドを説明するが、本発明は縦型ブラインド、プリーツスクリーン、ハニカムスクリーン、ロールスクリーンなど、他のブラインドでも実施可能である。
【００２３】
図１は、本実施形態のブラインドの全体構成を示す斜視図であり、図２は、側面図であり、図３は、案内装置近傍の正面図である。ブラインド１００は、図１に示したように、支持部材１２０からスクリーン（遮蔽材）１４０が吊り下げられるとともに、支持部材１２０からスクリーン１４０を操作可能なボールチェーン（操作部材）１６０が垂下し、ボールチェーン１６０には案内装置２００が設けられることを特徴とするものである。
【００２４】
以下、本実施形態のブラインド１００の各構成要素について、図１〜図３を参照しながら説明する。
【００２５】
（支持部材１２０）
支持部材１２０は、スクリーン１４０を支持する部材であり、図１に示したように、ブラケット１２１を介して図示していない窓枠などに固定される長尺状のセットフレーム１２２と、セットフレーム１２２の両端部から前方に突出するサイドプレート１２３、１２４と、一方のサイドプレート１２３に設けられるプーリ１２５と、一端がプーリ１２５に一体に回転するように取り付けられるとともに、他端が他方のサイドプレート１２４に回転自在に支持される巻き取りパイプ１２６と、を備えて構成される。
【００２６】
サイドプレート１２３、１２４の外側には、図１に示したように、プレートカバー１２７、１２８が取り付けられている。プレートカバー１２７、１２８は、サイドプレート１２３、１２４を覆うとともに、サイドプレート１２３、１２４から突出する部品を覆う。プレートカバー１２７、１２８は、前方からセットフレーム１２２方向にスライドさせてサイドプレート１２３、１２４に取り付けられる。
【００２７】
一方のサイドプレート１２３を覆うプレートカバー１２７は、図２に示したように、セットフレーム１２２側の端部から前方に向かう途中位置まではサイドプレート１２３に沿った形状であるが、その途中位置から前側の端部にかけて下方に突出した突出部１２７ａが形成されている。突出部１２７ａの下端部１２７ｂは直線状に形成されている。プレートカバー１２７の下端部１２７ｂに後述する案内装置２００の上縁部を接触させるようにして、プレートカバー１２７に案内装置２００が固定される。
【００２８】
プレートカバー１２７と案内装置２００との固定は、例えば、プレートカバー１２７の下端部１２７ｂと案内装置２００の上端部に嵌合可能な構成を設け、嵌合によって固定してもよい。また、別の例としては、プレートカバー１２７の下端部１２７ｂと案内装置２００の上端部を差し込むことによって固定する構成としてもよい。さらに、別の例としては、プレートカバー１２７の下端部１２７ｂと案内装置２００の上端部をネジ、接着剤、両面テープ等で固定してもよい。他方のサイドプレート１２４を覆うプレートカバー１２８は、全体がサイドプレート１２４に沿った形状に構成されている。
【００２９】
（スクリーン１４０）
スクリーン１４０は、本発明を構成する遮蔽材の一例である。スクリーン１４０は、図１に示したように、上端が巻き取りパイプ１２６に連結されており、巻き取りパイプ１２６の前側から垂れ下がるように巻き取りパイプ１２６に巻き付けられている。スクリーン１４０は、巻き取りパイプ１２６に巻き取られることによって上昇し、巻き取りパイプ１２６から巻き解かれることによって下降する。
【００３０】
スクリーン１４０の下端には、ウエイトバー１４２が取り付けられている。スクリーン１４０は、ウエイトバー１４２の重みにより緊張状態に保持されている。
【００３１】
（ボールチェーン１６０）
ボールチェーン１６０は、本発明を構成する操作部材の一例であり、スクリーン１４０の昇降を操作するものである。ボールチェーン１６０は、図２及び図３に示したように、ループ状に構成されており、プーリ１２５に巻き掛けられている。ボールチェーン１６０は、プーリ１２５に巻き掛けられることで、一方の操作部１６２と他方の操作部１６４とを有する。一方の操作部１６２はプーリ１２５の前側から垂下し、他方の操作部１６４はプーリ１２５の後側から垂下する。各操作部１６２、１６４は、案内装置２００に導入され、案内装置２００によって、各操作部１６２、１６４の配置が入れ替えられる。
【００３２】
（案内装置２００）
案内装置２００は、ボールチェーン１６０の各操作部１６２、１６４を案内する装置である。案内装置２００は、図２及び図３に示したように、ボールチェーン１６０をループ状のままで、一方の操作部１６２を他方の操作部１６４側に案内する第１スロープ２１０と、他方の操作部１６４を一方の操作部１６２側に案内する第２スロープ２２０と、を有する。第１スロープ２１０及び第２スロープ２２０の上下両端の縁部には、突出部２１０ａ、２２０ａが形成されている。案内装置２００は、前述のようにプレートカバー１２７の下端部１２７ｂに固定されている。案内装置２００には壁部２３０が形成されている。以下、案内装置２００の各部の構成を説明する。
【００３３】
図４は、図３の第１スロープ２１０に沿ったａ−ｂ断面図である。壁部２３０には、図４に示したように、第１案内部を構成する第１スロープ２１０がスクリーン１４０に隣り合う内側の面に形成されている。また、図５は、図３の第２スロープ２２０に沿った断面図である。そして、壁部２３０には、図５に示したように、第２案内部を構成する第２スロープ２２０がブラインド１００の端部側である外側の面に形成されている。第１のスロープ２１０及び第２スロープ２２０の側方は開放されている。
【００３４】
このように、一方の操作部１６２及び他方の操作部１６４を案内する第１スロープ２１０及び第２スロープ２２０は、側方が開放されているため、ボールチェーン１６０はループ状のまま案内装置２００を設けることができる。
【００３５】
第１スロープ２１０は、図４に示したように、前側の上端から後側の下端に向かう下り坂であり、前側の上端から導入される一方の操作部１６２を後側の下端に案内する。また、第２スロープ２２０は、図５に示したように、後側の上端から前側の下端に向かう下り坂であり、後側の上端から導入される一方の操作部１６２を前側の下端に案内する。
【００３６】
また、第１スロープ２１０及び第２スロープ２２０の上下両端の縁部には、上述したように、対向する縁部方向に突出する突出部２１０ａ、２２０ａ（図２及び図３）が形成されている。突出部２１０ａ、２２０ａによって、後述するように、第１スロープ２１０に配置された一方の操作部１６２と第２スロープ２２０に配置された他方の操作部１６４が、第１スロープ２１０及び第２スロープ２２０から脱落することが防止される。
【００３７】
次に、ボールチェーン１６０に案内装置２００を設ける方法について説明する。プーリ１２５から垂下した一方の操作部１６２は、図４に示したように、案内装置２００の前側の上端から第１スロープ２１０の開放された側方を介して第１のスロープ２１０に配置され、他方の操作部１６４側に導かれて、案内装置２００の後側の下端から垂下する。これにより、一方の操作部１６２が、他方の操作部１６４側に垂下する。
【００３８】
また、プーリ１２５から垂下した他方の操作部１６４は、図５に示したように、案内装置２００の後側の上端から第２スロープ２２０の開放された側方を介して第２のスロープ２２０に配置され、一方の操作部１６２側に導かれて、案内装置２００の下端から垂下する。これにより、他方の操作部１６４が、一方の操作部１６２側に垂下する。このように、一方の操作部１６２と他方の操作部１６４の配置が入れ替わる。
【００３９】
ここで、各操作部１６２、１６４が入れ替わる位置について、「他方の操作部１６４側」、「一方の操作部１６２側」とは、厳密に同じ位置に入れ替わらなくてもよいことを意味する。すなわち、一方の操作部１６２と他方の操作部１６４との配置が入れ替わるとは、各操作部１６２、１６４が垂下する前後方向（手前・奥方向）の相対的な配置関係が入れ替わるということである。よって、各操作部１６２、１６４が案内装置２００から垂下する位置は、案内装置２００に導かれる前の各操作部１６２、１６４の位置と必ずしも同じ位置でなくてもよい。
【００４０】
以上、本実施形態のブラインド１００の全体構成について説明した。次に、本実施形態のブラインド１００の動作について、図６を参照しながら説明する。
【００４１】
まず、図６の矢印Ａに示したように、手前側の操作部を下方に引くと、手前側の操作部は他方の操作部１６４であるため、ボールチェーン１６０がプーリ１２５をスクリーン１４０を巻き取る方向に回転させる。よって、巻き取りパイプ１２６がスクリーン１４０を巻き取り、図６の矢印Ｂに示したように、スクリーン１４０が上昇していく。
【００４２】
一方、図６の矢印Ｃに示したように、奥側の操作部を下方に引くと、奥側の操作部は一方の操作部１６２であるため、ボールチェーン１６０がプーリ１２５をスクリーン１４０を巻き解く方向に回転させる。よって、巻き取りパイプ１２６がスクリーン１４０を巻き解き、図６の矢印Ｄに示したように、スクリーン１４０が下降していく。
【００４３】
（第１の実施形態の効果）
以上説明したように、本実施形態によれば、第１スロープ２１０と第２スロープ２２０とを有する案内装置２００を設けることで、一方の操作部１６２を第１スロープ２１０によって他方の操作部１６４側に案内し、他方の操作部１６４を第２スロープ２２０によって一方の操作部１６２側に案内する。これにより、一方の操作部１６２と他方の操作部１６４の位置を入れ替えることができる。したがって、スクリーン１４０の巻き取り方向を前後で入れ替えたとしても、ボールチェーン１６０を案内装置２００を介して垂下させることで、操作部１６２、１６４の操作方向を入れ替える前と同じ側とすることができる。このため、操作部１６２、１６４の配置に対する操作方向に共通性を持たせることできるので、操作性が向上する。
【００４４】
また、案内装置２００に２つのスロープ２２０、２４０を形成することで、案内装置２００を通るいずれの操作部１６２、１６４も無理なく反対側に案内できるため、操作部１６２、１６４のいずれの側を操作しても円滑な操作が可能となる。
【００４５】
（第２の実施形態）
次に、第２の実施形態に係るブラインド３００の構成について、図７〜図１０を参照しながら説明する。図７は、第２の実施形態のブラインド３００の全体構成を示す正面図である。本実施形態は、上記第１の実施形態とは案内装置の構成が異なるものである。
【００４６】
本実施形態では、上記第１の実施形態と異なる点を中心に説明する。以下の説明において、支持部材３２０、ブラケット３２１、セットフレーム３２２、サイドプレート３２３、３２４、プーリ３２５、巻き取りパイプ３２６、プレートカバー３２７、３２８、スクリーン３４０、ウエイトバー３４２、ボールチェーン３６０、一方の操作部３６２、他方の操作部３６４について、上記第１の実施形態の支持部材１２０、ブラケット１２１、セットフレーム１２２、サイドプレート１２３、１２４、プーリ１２５、巻き取りパイプ１２６、プレートカバー１２７、１２８、スクリーン１４０、ウエイトバー１４２、ボールチェーン１６０、一方の操作部１６２、他方の操作部１６４と同様の点については、重複説明を省略する。
【００４７】
本実施形態では、第１の実施形態のブラインド１００の応用例として、以下のような構成を採用したものである。すなわち、本実施形態のブラインド３００では、図７に示したように、案内装置４００は、回転自在に支持される第１スプロケット（回転部材）４１０及び第２スプロケット（回転部材）４２０がボールチェーン３６０を案内する。また、案内装置４００はサイドプレート３２３の下方に、プレートカバー３２７とは離隔して配置されている。以下に、本実施形態の案内装置４００の構成を説明する。
【００４８】
（案内装置４００）
案内装置４００は、図８に示したように、ボールチェーン３６０を案内する第１スプロケット４１０及び第２スプロケット４２０と、第１スプロケット４１０及び第２スプロケット４２０を回転自在に支持する筐体４３０と、を備えて構成されている。第１スプロケット４１０及び第２スプロケット４２０の外周には、ボールチェーン３６０が噛み合わされており、ボールチェーン３６０が移動することによって第１プロケット４１０及び第２スプロケット４２０が回転する。
【００４９】
（筐体４３０）
筐体４３０は、図８に示したように、上下が開口した箱型の形状をしており、内部に第１スプロケット４１０及び第２スプロケット４２０が配置されている。筐体４３０は、スクリーン３４０に隣り合う内側の壁４３１と、内側の壁４３１に対向し、ブラインド３００の端部側に位置する外側の壁４３２とで第１スプロケット４１０及び第２スプロケット４２０を回転自在に支持する。筐体４３０には、ボールチェーン３６０をループ状のまま筐体４３０内に挿入させて、一方の操作部３６２と他方の操作部３６４を第１スプロケット４１０と第２スプロケット４２０に案内させるための２つのスリット４３３、４３４が形成されている。
【００５０】
２つのスリット４３３、４３４は、図８に示したように、筐体４３０の主に内側と外側において、筐体４３０を上下方向に貫通するように設けられている。内側に設けられる内側スリット４３３を介して、一方の操作部３６２が筐体４３０内に挿入し、外側に設けられる外側スリット４３４を介して、他方の操作部３６４が筐体４３０内に挿入する。
【００５１】
内側スリット４３３は、図８に示したように、筐体４３０の前壁４３６、内側の壁４３１及び後壁４３７をクランク状に上下方向に貫通するように形成されている。すなわち、内側スリット４３３は、筐体４３０の前壁４３６の上端部から上下方向に第１スプロケット４１０と第２スプロケット４２０の間まで延びる上部スリット４３３ａと、筐体４３０の内側の壁４３１を上部スリット４３３ａの下端から横方向に後壁４３７まで延びる横スリット４３３ｂと、横スリット４３３ｂの後端から上下方向に後壁４３７の下端まで伸びる下部スリット（なお、下部スリットは図８において、現れない部分に形成されている。）とが連続して形成されることによって構成されている。
【００５２】
内側スリット４３３の上部スリット４３３ａと下部スリットは、プーリ３２５の前側から垂下する一方の操作部３６２を筐体４３０内に挿入するためのものである。また、内側スリット４３３の横スリット４３３ｂは、一方の操作部３６２を後側に導くためのものである。
【００５３】
また、外側スリット４３４も、図８に示したように、筐体４３０の後壁４３７、内側の壁４３１及び前壁４３６をクランク状に上下方向に貫通するよう形成されている。外側スリット４３４は、筐体４３０の後壁４３７の上端部から上下方向に第１スプロケット４１０と第２スプロケット４２０の間まで延びる上部スリット４３４ａと、筐体４３０の外側の壁４３２を上部スリット４３４ａの下端から横方向に前壁４３６まで延びる横スリット４３４ｂと、横スリット４３４ｂの前端から上下方向に前壁４３６の下端まで伸びる下部スリット４３４ｃとが連続して形成されることによって構成されている。
【００５４】
外側スリット４３４の上部スリット４３４ａと下部スリット４３４ｃは、プーリ３２５の後側から垂下する他方の操作部３６４を筐体４３０内に挿入するためのものである。また、外側スリット４３４の横スリット４３４ｂは、他方の操作部３６４を、前側に導くためのものである。
【００５５】
内側スリット４３３と外側スリット４３４をクランク状に上下方向に貫通するように形成することにより、ボールチェーン３６０をループ状のまま内側スリット４３３と外側スリット４３４に挿通させることができる。このため、ボールチェーン３６０はループ状のまま第１スプロケット４１０と第２スプロケット４２０に巻きかけることができる。よって、ボールチェーン３６０はループ状のまま案内部材４００を設けることができる。
【００５６】
（第１スプロケット４１０、第２スプロケット４２０）
第１スプロケット４１０には、図９に示したように、仕切り壁４１２を境として、同軸上に２つの周面４１４、４１６が形成されている。また、第２スプロケット４２０にも、図９に示したように、仕切り壁４２２を境として、同軸上に２つの周面４２４、４２６が形成されている。なお、図９は、筐体４３０の前壁４３６の部分を切断し、案内装置４００を前から見た図である。各周面４１４、４１６、４２４、４２６は、円周方向に凹凸が連続する歯車状に構成されており、凹部にボールチェーン３６０のボール３６０ａが噛み合うようになっている。なお、周面４１４、４１６が第１案内部を構成し、周面４２４、４２６が第２案内部を構成する。
【００５７】
なお、図９に示した一例では、仕切り壁４１２を第１スプロケット４１０に、仕切り壁４２２を第２スプロケット４２０に設けたが、この例に限定されない。一方の操作部３６２と他方の操作部３６４を分離する構成であれば、任意の構成を採用することができ、例えば、仕切り壁を筐体４３０に設けても良い。
【００５８】
ボールチェーン３６０の一方の操作部３６２は、図１０に示したように、第１スプロケット４１０の第１周面４１４の前面と第２スプロケット４２０の第１周面４２４の後面に案内される。また、ボールチェーン３６０の他方の操作部３６４は、図１０に示したように、第１スプロケット４１０の第２周面４１６後面と第２スプロケット４２０の第２周面４２６の前面に案内される。
【００５９】
このように、案内装置４００によって、一方の操作部３６２は他方の操作部３６４側に案内され、また、他方の操作部３６４は一方の操作部３６２側に案内されて案内装置４００から垂下する。
【００６０】
また、一方の操作部３６２と他方の操作部３６４は、図９及び図１０に示したように、ボールチェーン３６０のボール３６０ａが第１スプロケット４１０の第１周面４１４及び第２周面４１６と第２スプロケット４２０の第１周面４２４及び第２周面４２６に噛み合う。このとき、一方の操作部３６２と他方の操作部３６４は、第１スプロケット４１０と第２スプロケット４２０に逆回転方向から噛み合っている。このため、ボールチェーン３６０を操作していないときも第１スプロケット４１０と第２スプロケット４２０が自重で下降することがない。
【００６１】
また、一方の操作部３６２と他方の操作部３６４を操作したときも、一方の操作部３６２と他方の操作部３６４が相対移動するため、第１スプロケット４１０と第２スプロケット４２０が上下動することがなく、同じ高さに保持される。
【００６２】
以上、本実施形態のブラインド３００の構成について説明した。次に、本実施形態の案内装置４００へのボールチェーン３６０の取り付け方法について図１１及び図１２を参照しながら説明する。
【００６３】
ボールチェーン３６０は、図１１に示したように、一方の操作部３６２が、上部スリット４３３ａから筐体４３０内に挿入されて、第１スプロケット４１０の第１周面４１４の前側に巻き掛けられる。この後、一方の操作部３６２は、内側スリット４３３の横スリット４３３ｂに沿って筐体４３０の後側に導かれて、下部スリット４３３ｃから筐体４３０内に挿入されて、第２スプロケット４２０の第１周面４２４の後側に巻き掛けられて案内装置４００から垂下する。
【００６４】
一方、ボールチェーン３６０の他方の操作部３６４は、図１２に示したように、外側スリット４３４の上部スリット４３４ａから筐体４３０内に挿入されて、第１スプロケット４１０の第２周面４１６の後側に巻き掛けられる。この後、他方の操作部３６４は、外側スリット４３４の横スリット４３４ｂに沿って筐体４３０の前側に導かれて、下部スリット４３４ｃから筐体４３０内に挿入され、第２スプロケット４２０の第２周面４２６の前側に巻き掛けられて案内装置４００から垂下する。
【００６５】
次に、本実施形態のブラインド１００の昇降操作について、図１３を参照しながら説明する。
【００６６】
まず、図１３の矢印Ｅに示したように、手前側の操作部を下方にひくと、手前側の操作部は他方の操作部３６４であるため、ボールチェーン３６０がプーリ３２５をスクリーン３４０を巻き取る方向に回転させる。よって、巻き取りパイプ３２６がスクリーン３４０を巻き取り、図１３の矢印Ｆに示したように、スクリーン３４０が上昇していく。
【００６７】
一方、図１３の矢印Ｇに示したように、奥側の操作部を下方にひくと、奥側の操作部は一方の操作部３６２であるため、ボールチェーン３６０がプーリ３２５をスクリーン３４０を巻き解く方向に回転させる。よって、巻き取りパイプ３２６がスクリーン３４０を巻き解き、図１３の矢印Ｈに示したように、スクリーン３４０が下降していく。
【００６８】
（第２の実施形態の効果）
以上説明したように、本実施形態によれば、案内装置４００には第１スプロケット４１０及び第２スプロケット４２０が回転自在に支持され、第１スプロケット４１０及び第２スプロケット４２０の周面が案内部を形成することで、一方の操作部３６２を第１スプロケット４１０の周面によって他方の操作部３６４側に案内し、他方の操作部３６４を第２スプロケット４２０の周面によって一方の操作部３６２側に案内する。これにより、一方の操作部３６２と他方の操作部３６４の位置を入れ替えることができる。したがって、スクリーン３４０の巻き取り方向を前後で入れ替えたとしても、ボールチェーン３６０を案内装置４００を介して垂下させることで、操作部３６２、３６４の操作方向を入れ替える前と同じ側とすることができる。このため、操作部３６２、３６４の配置に対する操作方向に共通性を持たせることできるので、操作性が向上する。
【００６９】
また、案内装置４００には第１スプロケット４１０及び第２スプロケット４２０が回転自在に支持され、第１スプロケット４１０及び第２スプロケット４２０の周面が案内部を形成することで、操作時におけるボールチェーン３６０の移動に伴って第１スプロケット４１０及び第２スプロケット４２０も回転するため、案内装置４００を介して垂下するボールチェーン３６０の操作が円滑となる。
【００７０】
また、第１スプロケット４１０及び第２スプロケット４２０は仕切り壁４２２、４４２を隔てて第１周面４１４、４２４と第２周面４１６、４２６を形成し、各周面４１４、４２４、４１６、４２６に操作部３６２、３６４のいずれかが案内されることで、操作部３６２、３６４同士の干渉が防止される。
【００７１】
また、ボールチェーン３６０と第１スプロケット４１０及び第２スプロケット４２０が噛み合うため、一方の操作部３６２が移動すると他方の操作部３６４が相対移動して、第１スプロケット４１０及び第２スプロケット４２０の高さ位置が保持される。よって、案内装置４００の固定が不要となる。
【００７２】
さらに、筐体４３０に設けられる内側スリット４３３と外側スリット４３４をクランク状に上下方向に貫通するように形成することにより、ボールチェーン３６０をループ状のまま内側スリット４３３と外側スリット４３４に挿通させることができる。このため、ボールチェーン３６０はループ状のまま第１スプロケット４１０と第２スプロケット４２０に巻き掛けることができる。よって、ボールチェーン３６０はループ状のまま案内部材４００を設けることができる。
【００７３】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００７４】
例えば、上記実施形態では、ブラインドをロールスクリーンとしたが、本発明はこの例に限定されない。例えば、ブラインドは、横型ブラインド、縦型ブラインド、プリーツスクリーン、ハニカムスクリーンなどであってもよい。
【００７５】
また、例えば、ブラインドを縦型ブラインドとした場合、操作位置をブラインドの左右で入れ替えるために、ブラインド全体を左右方向に反転して設置する場合も、操作部材を案内装置を介して垂下させることで、操作位置を左右で入れ替える前と同じ側の操作部の操作で遮蔽材を開閉することができる。このように、操作部の操作方向に共通性を持たせることできるので、操作性が向上する。
【００７６】
また、上記実施形態では、前後に垂下する操作部を例に説明したが、この例に限定されない。例えば、左右に垂下する操作部でもよい。
【００７７】
また、上記実施形態では、操作部材をループ状としたが、本発明はこの例に限定されない。例えば、ループ状に構成されていない別体の２本の操作部材であってもよい。
【００７８】
また、上記実施形態では、操作部材をボールチェーンとしたが、本発明はこの例に限定されない。例えば、コード、紐、ベルトなどでもよい。
【００７９】
また、上記実施形態では、第１案内部と第２案内部の両方にスロープを形成したが、本発明はこの例に限定されない。例えば、第１案内部と第２案内部のうち少なくとも一方にスロープを形成してもよい。このように構成された案内装置は、特に、一方の操作部の操作のみで昇降を行えるブラインドがあるが、そのようなブラインドに好適に適用される。
【００８０】
また、上記第１の実施形態では、第１案内部と第２案内部としてスロープを形成したが、本発明はこの例に限定されない。例えば、第１案内部と第２案内部は傾斜していない水平な形状であってもよい。
【００８１】
また、上記実施形態では、第１案内部と第２案内部を第１スプロケット及び第２スプロケットの両方に設けたが、本発明はこの例に限定されない。例えば、第１案内部と第２案内部の少なくとも一方の案内部を第１スプロケット又は第２スプロケットに設けるようにしてもよい。このように構成された案内装置は、特に、一方の操作部の操作のみで昇降を行えるブラインドがあるが、そのようなブラインドに好適に適用される。
【００８２】
また、上記実施形態では、案内装置内にボールチェーンをループ状のまま挿通させるために、筐体にクランク状のスリットを設けたが、本発明はこの例に限定されない。例えば、ループ状でない操作部材に案内装置を設ける場合や、案内装置を設けた後に操作部材をループ状に構成する場合、スリットが設けられていない筐体にするなど、筐体の形状は適宜設計することができる。
【００８３】
さらに、上記実施形態では、操作部材をボールチェーンとし、回転部材をスプロケットとしたが、本発明はこの例に限定されない。例えば、操作部材は、コード、紐、ベルトなどでもよく、回転部材はコロやプーリなどでもよい。さらに、操作部材と回転部材の組み合わせは、適宜設計してよい。
【００８４】
また、上記実施形態では、操作部材をボールチェーンとし、回転部材をスプロケットとした場合、案内装置をプレートカバーに固定しなかったが、本発明はこの例に限定されない。例えば、回転部材がコロであったり、操作部材がコード、紐、ベルトなどであったりすると、操作部材と回転部材の組み合わせによっては、操作部材と回転部材が噛み合わない場合がある。このような場合、操作部材に対して回転部材が滑り、案内装置が同一高さに保持されない。よって、案内装置をプレートカバーに固定する構成としてもよい。
【００８５】
また、上記第２の実施形態では、案内装置４００にボールチェーン３６０をループ状のまま挿通させるために、筐体４３０にクランク状の内側スリット４３３と外側スリット４３４を設けたが、本発明はこの例に限定されない。例えば、筐体４３０の外側の壁４３２を着脱可能としてもよい。このような構成にすることにより、ボールチェーン３６０に案内装置４００を設けるときは、外側の壁４３２を取り外して筐体４３０の内部を開放することができる。このようにして、ボールチェーン３６０を第１スプロケット４１０及び第２スプロケット４２０に巻き掛けることができる。
【符号の説明】
【００８６】
１００、３００  ブラインド
１２０、３２０  支持部材
１２１、３２１  ブラケット
１２２、３２２  セットフレーム
１２３、１２４、３２３、３２４  サイドプレート
１２５、３２５  プーリ
１２６、３２６  巻き取りパイプ
１２７、１２８、３２７、３２８  プレートカバー
１２７ａ  突出部
１２７ｂ  下端部
１４０、３４０  スクリーン（遮蔽材）
１４２、３４２  ウエイトバー
１６０、３６０  ボールチェーン（操作部材）
１６２、３６２  一方の操作部
１６４、３６４  他方の操作部
２００、４００  案内装置
２１０  第１スロープ（第１案内部）
２１０ａ  突出部
２２０  第２スロープ（第２案内部）
２２０ａ  突出部
２３０  壁部
４１０  第１スプロケット
４１２、４２２  仕切り壁
４１４  第１周面（第１案内部）
４１６  第２周面（第１案内部）
４２０  第２スプロケット
４２４  第１周面（第２案内部）
４２６  第２周面（第２案内部）
４３０  筐体
４３１  内側の壁
４３２  外側の壁
４３３  内側スリット
４３３ａ  上部スリット
４３３ｂ  横スリット
４３３ｃ  下部スリット
４３４  外側スリット
４３４ａ  上部スリット
４３４ｂ  横スリット
４３４ｃ  下部スリット
４３６  前壁
４３７  後壁
５００  巻き取り軸
５１０  スクリーン
５２０  ボールチェーン
【図１】
0006680517.tif 000002
【図２】
0006680517.tif 000003
【図３】
0006680517.tif 000004
【図４】
0006680517.tif 000005
【図５】
0006680517.tif 000006
【図６】
0006680517.tif 000007
【図７】
0006680517.tif 000008
【図８】
0006680517.tif 000009
【図９】
0006680517.tif 000010
【図１０】
0006680517.tif 000011
【図１１】
0006680517.tif 000012
【図１２】
0006680517.tif 000013
【図１３】
0006680517.tif 000014
【図１４】
0006680517.tif 000015
【図１５】
0006680517.tif 000016